(57)【特許請求の範囲】
【請求項１】
互いに組み付けられるコイルユニット及び接点ユニットと、接点包囲部材と、を備えたリレーであって、
前記コイルユニットが、コイルと、該コイルに接続された一対の端子と、前記コイル及び前記一対の端子を保持した第１ベースと、を有し、
前記接点ユニットが、一方の端子と、該一方の端子に連結され、可動接点が設けられたバネ片と、該バネ片に取り付けられた鉄板と、固定接点が設けられた他方の端子と、これら一対の端子を保持した平面視Ｌ字の板状に形成された第２ベースと、を有し、
前記接点包囲部材が、前記固定接点及び前記可動接点を包囲するとともに、前記固定接点及び前記可動接点を前記コイルと隔離する
ことを特徴とするリレー。
【請求項２】
前記第１ベースに、前記接点ユニットの前記他方の端子が通される取付孔が設けられており、前記他方の端子が前記取付孔に通されることにより前記接点ユニットと前記コイルユニットが位置決めされる
ことを特徴とする請求項１に記載のリレー。
【請求項３】
前記接点包囲部材が、平面視がＬ字の箱型に形成されており、
前記コイルが、前記接点包囲部材のＬ字の角部の内側に位置付けられる
ことを特徴とする請求項１又は２に記載のリレー。
【請求項４】
前記接点包囲部材が、平面視がＬ字の箱型に形成されており、
前記接点包囲部材が前記接点ユニットのみを覆っている
ことを特徴とする請求項１〜３の何れか１項に記載のリレー。
【請求項５】
前記コイルを包囲するコイル包囲部材を備え、
前記接点包囲部材と前記コイル包囲部材とが一体形成されている
ことを特徴とする請求項１〜４の何れか１項に記載のリレー。
【発明の詳細な説明】
【技術分野】
【０００１】
本発明は、電気回路のスイッチングを行うリレーに関するものである。
【背景技術】
【０００２】
例えば、自動車用電気接続箱にはリレーが搭載されている。このリレーは、通電されることにより磁界を発生させるコイルと、固定接点と、前記磁界の作用で動く可動接点と、これらを包囲したケースと、を備えた構造のものが一般的である（特許文献１を参照。）。
【先行技術文献】
【特許文献】
【０００３】
【特許文献１】特開２００７−０２０３５７号公報
【発明の概要】
【発明が解決しようとする課題】
【０００４】
上述したリレーは、冬季や寒冷地などで使用する場合、コイルの巻線の被覆に含まれる水分が固定接点又は可動接点に氷結して接点導通不良が起こることがあるという問題があった。詳細には、コイルへの通電が開始されることによって、コイルの巻線の被覆に含まれる水分が蒸発し、ケース内に拡散する。その後、コイルへの通電がオフされると、熱伝導率の差異により、固定接点及び可動接点の温度が急激に低下する。この際、ケース内に拡散していた水蒸気が固定接点及び可動接点に触れることで凝結した後氷結し、次回のコイルへの通電時に接点導通不良が起こる。
【０００５】
したがって、本発明は、接点導通不良を防止できるリレーを提供することを目的とする。
【課題を解決するための手段】
【０００６】
請求項１に記載された発明は、互いに組み付けられるコイルユニット及び接点ユニットと、接点包囲部材と、を備えたリレーであって、前記コイルユニットが、コイルと、該コイルに接続された一対の端子と、前記コイル及び前記一対の端子を保持した第１ベースと、を有し、前記接点ユニットが、一方の端子と、該一方の端子に連結され、可動接点が設けられたバネ片と、該バネ片に取り付けられた鉄板と、固定接点が設けられた他方の端子と、これら一対の端子を保持した平面視Ｌ字の板状に形成された第２ベースと、を有し、前記接点包囲部材が、前記固定接点及び前記可動接点を包囲するとともに、前記固定接点及び前記可動接点を前記コイルと隔離することを特徴とするリレーである。
請求項２に記載された発明は、請求項１に記載された発明において、前記第１ベースに、前記接点ユニットの前記他方の端子が通される取付孔が設けられており、前記他方の端子が前記取付孔に通されることにより前記接点ユニットと前記コイルユニットが位置決めされることを特徴とするものである。
請求項３に記載された発明は、請求項１又は２に記載された発明において、前記接点包囲部材が、平面視がＬ字の箱型に形成されており、前記コイルが、前記接点包囲部材のＬ字の角部の内側に位置付けられることを特徴とするものである。
請求項４に記載された発明は、請求項１〜３の何れか１項に記載された発明において、前記接点包囲部材が、平面視がＬ字の箱型に形成されており、前記接点包囲部材が前記接点ユニットのみを覆っていることを特徴とするものである。
【０００７】
請求項５に記載された発明は、請求項１〜４の何れか１項に記載された発明において、前記コイルを包囲するコイル包囲部材を備え、前記接点包囲部材と前記コイル包囲部材とが一体形成されていることを特徴とするものである。
【発明の効果】
【０００９】
請求項１に記載された発明によれば、前記固定接点及び前記可動接点を包囲するとともに、前記固定接点及び前記可動接点を前記コイルと隔離する接点包囲部材を備えているので、コイルへの通電により巻線の被覆から生じる水蒸気を、固定接点及び可動接点が存在する雰囲気ガス中に拡散させることを防止できる。よって、固定接点及び可動接点に氷結が起こることを防止でき、接点導通不良を防止できる。また、コイルの熱を固定接点及び可動接点に伝わり難くすることができるので、固定接点及び可動接点の温度上昇を抑制できる。
【００１０】
請求項５に記載された発明によれば、前記コイルを包囲するコイル包囲部材を備え、前記接点包囲部材と前記コイル包囲部材とが一体形成されているので、部品点数を増やすことなく、コイルを保護できる。
【図面の簡単な説明】
【００１２】
【図１】本発明の第１の実施形態にかかるリレーの斜視図である。
【図２】図１に示されたリレーの平面図である。
【図３】図１に示されたリレーの分解図である。
【図４】図３に示されたコイルユニットの分解図である。
【図５】図３に示された接点包囲部材及び接点ユニットの分解図である。
【図６】図５に示された接点ユニットの分解図である。
【図７】本発明の第２の実施形態にかかるリレーの斜視図である。
【図８】図７に示された包囲部材の斜視図である。
【発明を実施するための形態】
【００１３】
（第１の実施形態）
本発明の第１の実施形態にかかる「リレー」を図１〜６を参照して説明する。
【００１４】
図１，２に示すリレー１は、図３に示すように、コイルユニット１１と、接点ユニット１２と、接点包囲部材１０と、が組み付けられて形成されている。
【００１５】
コイルユニット１１は、図４に示すように、ボビン２０に巻線２１が巻かれたコイル２と、巻線２１に接続された一対の端子４ａ，４ｂと、一対の端子４ａ，４ｂに接続された消弧抵抗３と、コイル２及び一対の端子４ａ，４ｂを保持した第１ベース５と、を有している。第１ベース５は、合成樹脂により板状に形成されており、端子４ａが取り付けられる取付孔５１と、端子４ｂが取り付けられる取付孔５２と、後述する取付孔５３と、ボビン２０が取り付けられる取付部５４と、が設けられている。端子４ａ，４ｂの先端部は取付孔５１，５２から突出する。
【００１６】
接点ユニット１２は、図５，６に示すように、端子６ａと、端子６ａに連結され、可動接点７０が設けられたバネ片７と、バネ片７に取り付けられた鉄板８と、固定接点６０が設けられた端子６ｂと、端子６ａ，６ｂを保持した第２ベース９と、を有している。
【００１７】
端子６ａは細長い板状に形成されている。バネ片７は、端子６ａ，６ｂよりも厚みの薄い板金がＬ字状に折り曲げられて形成されている。バネ片７は、端子６ａの一端部に連結されている。前記可動接点７０は、バネ片７の端子６ａから離れた端部に設けられている。鉄板８は、バネ片７のコイル２と対向する面に取り付けられている。端子６ｂは、細長い板状に形成されている。前記固定接点６０は、端子６ｂの一端部に設けられている。固定接点６０と可動接点７０とは、図２に示すように、互いに間隔をあけて対向する位置に配置されている。そして、コイル２に通電が行われることにより磁界が生じ、該磁界の作用で鉄板８がコイル２側に吸着されることによって可動接点７０が固定接点６０に接触する。第２ベース９は、第１ベース５と別体で形成され、合成樹脂により平面視Ｌ字の板状に形成されている。第２ベース９の一端部には、端子６ａが取り付けられる取付孔９１が設けられており、他端部には、端子６ｂが取り付けられる取付孔９２が設けられている。端子６ａ，６ｂの他端部は取付孔９１，９２から突出する。
【００１８】
接点包囲部材１０は、図３，５に示すように、第２ベース９に組み付けられるものであり、合成樹脂により平面視がＬ字の箱型に形成されている。接点包囲部材１０は、第２ベース９によって塞がれる開口部１０ａを有している。接点包囲部材１０は、第２ベース９に取り付けられることにより、端子６ａ，６ｂの一端部、バネ片７、鉄板８を密閉する。すなわち、接点包囲部材１０は、固定接点６０及び可動接点７０を包囲するとともに、固定接点６０及び可動接点７０をコイル２と隔離する。
【００１９】
上述した接点包囲部材１０が接点ユニット１２の第２ベース９に組み付けられ、この接点ユニット１２がコイルユニット１１に組み付けられてリレー１が組み立てられる。接点ユニット１２がコイルユニット１１に組み付けられる際、端子６ｂが第１ベース５の取付孔５３に通されて接点ユニット１２とコイルユニット１１が位置決めされる。接点ユニット１２がコイルユニット１１に組み付けられた状態で、第２ベース９は第１ベース５の上に重ねられる。これら第２ベース９及び第１ベース５は、互いに係止する図示しない係止手段を有している。また、コイル２は、Ｌ字の接点包囲部材１０の角部の内側に位置付けられる。コイル２と鉄板８は、互いの間に接点包囲部材１０の壁を挟んで対向する。
【００２０】
上記構成のリレー１は、端子６ａ，６ｂ及び端子４ａ，４ｂが回路に接続され、コイル２に通電が行われることにより、可動接点７０が固定接点６０に接触して、端子６ａと端子６ｂとが導通する。
【００２１】
このようなリレー１によれば、固定接点６０及び可動接点７０を包囲するとともに、固定接点６０及び可動接点７０をコイル２と隔離する接点包囲部材１０を備えているので、コイル２への通電により巻線２１の被覆から生じる水蒸気を、固定接点６０及び可動接点７０が存在する雰囲気ガス中に拡散させることを防止できる。よって、固定接点６０及び可動接点７０に氷結が起こることを防止でき、接点導通不良を防止できる。また、コイル２の熱を固定接点６０及び可動接点７０に伝わり難くすることができるので、固定接点６０及び可動接点７０の温度上昇を抑制できる。
【００２２】
また、リレー１によれば、コイルユニット１１と接点ユニット１２とが組み付けられて形成されているので、当該リレー１と仕様が異なるリレーを製造する際に、コイルユニット１１又は接点ユニット１２を使用して、前記仕様が異なるリレーを容易に製造することができる。
【００２３】
（第２の実施形態）
本発明の第２の実施形態にかかる「リレー」を図７〜８を参照して説明する。また、図７〜８において、前述した第１の実施形態と同一構成部分には同一符号を付して説明を省略する。
【００２４】
図７に示すリレー１０１は、コイル２を包囲するコイル包囲部材１３と、接点包囲部材１０とが一体形成された包囲部材１１０を備えている。コイル包囲部材１３は、合成樹脂により直方体形状の箱型に形成されており、第１ベース５によって塞がれる開口部１３ａを有している。接点包囲部材１０とコイル包囲部材１３とを区切ったＬ字状の壁１４は、接点包囲部材１０の外壁を構成しているとともにコイル包囲部材１３の外壁を構成している。
【００２５】
このようなリレー１０１によれば、接点包囲部材１０とコイル包囲部材１３とが一体形成されているので、部品点数を増やすことなく、コイル２を保護できる。
【００２６】
また、図示は省略するが、本発明には、接点包囲部材１０とコイル包囲部材１３とが別体で形成されているものも含まれる。
【００２７】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００２８】
１，１０１  リレー
２  コイル
１０  接点包囲部材
６０  固定接点
７０  可動接点
【図１】
0006356499.tif 000002
【図２】
0006356499.tif 000003
【図３】
0006356499.tif 000004
【図４】
0006356499.tif 000005
【図５】
0006356499.tif 000006
【図６】
0006356499.tif 000007
【図７】
0006356499.tif 000008
【図８】
0006356499.tif 000009